(57)【要約】【課題】反射型の補正素子を用いて非点隔差や球面収差を同時に補正することが可能で、また角度を持った反射面にも適用できるなど様々な反射面形成に対応することができ、装置の小型化が可能となる光ピックアップ装置を提供することである。【解決手段】反射型の補正素子において、変位素子を用いて反射面の形状を形成することで、シリンドリカルや非球面の反射面を形成できる。【選択図】図４
2009181646.tif 000002
【特許請求の範囲】
【請求項１】
光記録媒体に対向配置される対物レンズと、
前記対物レンズを通して前記光記録媒体にレーザ光照射するための光源と、
前記光源から前記対物レンズへ入射する光束を平行光束にするコリメータレンズと、
前記光源から前記対物レンズへ至る光路中に配置される反射型の補正素子と、を有する光ピックアップ装置であって、
前記補正素子は、前記光束を反射する反射面と、該反射面の反対側に配設された変位素子とを有し、
該変位素子が変位することにより前記反射面の形状を変化させて前記光束の補正を行う
ことを特徴とする光ピックアップ装置。
【請求項２】
前記変位素子は圧電素子であり、
該変位素子を挟む複数の電極が配設され、
前記複数の電極に独立して電圧を印加する電源部を備え、
それぞれの電極に異なる電圧を印加することで、前記反射面を補正に必要な形状に変化させる
ことを特徴とする請求項１に記載の光ピックアップ装置。
【請求項３】
前記補正素子は、前記光源の非点隔差を補正する
ことを特徴とする請求項１または２に記載の光ピックアップ装置。
【請求項４】
前記補正素子は、前記光束の合焦時の球面収差を補正する
ことを特徴とする請求項１乃至３の何れか１項に記載の光ピックアップ装置。
【発明の詳細な説明】
【技術分野】
【０００１】
本発明は、レーザ光を光記録媒体に照射して、記録された信号を読み取る小型光学系を有し、光束の補正を行うことができる光ピックアップ装置に関する。
【背景技術】
【０００２】
近年は、様々な分野で超小型光学系が用いられるようになってきた。それに伴い、その小型の光学系を駆動する技術も発展してきた。
【０００３】
例えば、ＭＣＵ（Ｍｉｃｒｏ  Ｃａｍｅｒａ  Ｕｎｉｔ）におけるＡＦ（Ａｕｔｏ  Ｆｏｃｕｓ）、ズーム、そして手ブレ補正などの光学系駆動や、レーザ光による光記録媒体への信号記録、再生を行う光ピックアップ装置の光学系駆動などにおいて、超小型でありながら自由度の大きくかつ精度のよい駆動制御が求められてきた。
【０００４】
また光学系以外でもＭＥＭＳ（ｍｉｃｒｏ  ｅｌｅｃｔｒｏ  ｍｅｃｈａｎｉｃａｌ  ｓｙｓｔｅｍｓ）などの超小型駆動装置が発達し、様々なアクチュエータ素子が開発されている。
【０００５】
光ピックアップ装置は、レーザ光源を備え、レーザ光を光記録媒体に照射して信号記録する、あるいはその反射光をピックアップして信号再生するものである。そのためここでは、レーザ光を必要な場所（信号の記録位置）で１点に集束させるのに光学系の駆動を行っている。つまり、もっぱら光学系に依存する収差などを補正するのに光学系の一部を駆動し、調整している。
【０００６】
例えば、レーザ光源には非点隔差ΔＺが存在する。次に非点隔差ΔＺを簡単に説明する。
【０００７】
レーザ光源からレーザ光が射出すると、射出したレーザビームは広がりを示すが、光源の活性層の接合面に対して垂直方向（以降、θｖと称する）と水平方向（以降、θｐと称する）とでは、この広がり方が異なり、またレーザ光の広がる角度の基点位置（以降、ビームウェストと称する）も異なる。すなわちθｖ方向では活性層の共振器端面上にあるのに対して、θｐ方向では活性層の共振器内にある。このビームウェスト位置のずれが非点隔差ΔＺである。
【０００８】
光ピックアップ装置では、その光学系でレーザビームの広がりを、一旦平行光束にし、さらに光記録媒体の記録膜面に集束させている。θｖ方向とθｐ方向とでビームウェストの位置が異なると、記録膜面でもθｖ方向とθｐ方向とで集束の仕方が異なってしまい、非点収差として現れる。
【０００９】
例えば、特許文献１で、この非点隔差ΔＺを補正するための技術が提案されている。
【００１０】
特許文献１の技術によれば、光路中に曲率を有する反射板を配置し、反射板の曲率と光束を反射する際の入射角度を調整し、θｖ方向とθｐ方向とで入射角度が異なる、すなわち実効的な曲率が異なることを利用して、非点隔差ΔＺの補正を図っている。
【００１１】
しかしながら、反射板の曲率や設置角度に制約が係り、この反射板を用いて他の収差補正などを行う余地もなくなる。また、近年ではＢＤ（波長４０５ｎｍ）、ＤＶＤ（同６６０ｎｍ）、ＣＤ（同７８５ｎｍ）など、記録波長の異なる各種光記録媒体を任意に再生するため、異なる波長の半導体レーザチップを一体実装することで、１つのパッケージから３種類のレーザ光を発する３波長レーザが提案されている。この場合共通の光学系が適用されるが、非点隔差ΔＺも３種類のレーザ光により異なってしまい、すべてのレーザ光に対応するような非点隔差の補正は困難となってくる。
【００１２】
また近年では、光記録媒体が複数の記録膜面を積層して有することで記録容量を大容量化するのが一般的になってきている。例えば、２層膜記録媒体の場合、２つの記録膜面の間隔が約２０μｍとなり、焦点距離が変化するため、表面側の記録膜面に光学的条件を合わせた光学系で、奥側の記録膜面にフォーカスを合わせた場合に球面収差が発生する。
【００１３】
例えば、特許文献２で、この球面収差を補正するための技術が提案されている。
【００１４】
特許文献２の技術によれば、記録膜面の位置が変化しても、光路中に配置した反射板の曲率を圧電素子により変化させ、合焦位置の変化に応じて光学系を調整し、球面収差の発生を抑止している。
【００１５】
しかしながら、曲率についても単純な共軸系の球面を用いており、球面収差の発生は抑止できても、非点隔差などの他の収差を同時に補正することはできない。またシリンドリカルや非球面、非共軸系を要するような光学系の調整はできない。
【特許文献１】特開２００１−１８４７００号公報
【特許文献２】特開２００５−２８５２９４号公報
【発明の開示】
【発明が解決しようとする課題】
【００１６】
上述したように、従来の小型の光ピックアップ装置においては、複数波長のレーザを用いた場合の非点隔差や、複数記録膜を有する媒体のフォーカス時の球面収差の補正などが困難であり、またそれらを単独の補正素子で同時に補正することもできず、装置の小型化も困難であった。
【００１７】
本発明の目的は、上記の課題を解決し、反射型の補正素子を用いて非点隔差や球面収差を同時に補正することが可能で、また角度を持った反射面にも適用できるなど様々な反射面形成に対応することができ、装置の小型化が可能となる光ピックアップ装置を提供することである。
【課題を解決するための手段】
【００１８】
本発明は、上記の課題を解決するために、以下の特徴を有するものである。
【００１９】
１．  光記録媒体に対向配置される対物レンズと、前記対物レンズを通して前記光記録媒体にレーザ光照射するための光源と、前記光源から前記対物レンズへ入射する光束を平行光束にするコリメータレンズと、前記光源から前記対物レンズへ至る光路中に配置される反射型の補正素子と、を有する光ピックアップ装置であって、前記補正素子は、前記光束を反射する反射面と、該反射面の反対側に配設された変位素子とを有し、該変位素子が変位することにより前記反射面の形状を変化させて前記光束の補正を行うことを特徴とする光ピックアップ装置。
【００２０】
２．  前記変位素子は圧電素子であり、該変位素子を挟む複数の電極が配設され、前記複数の電極に独立して電圧を印加する電源部を備え、それぞれの電極に異なる電圧を印加することで、前記反射面を補正に必要な形状に変化させることを特徴とする１に記載の光ピックアップ装置。
【００２１】
３．  前記補正素子は、前記光源の非点隔差を補正することを特徴とする１または２に記載の光ピックアップ装置。
【００２２】
４．  前記補正素子は、前記光束の合焦時の球面収差を補正することを特徴とする１乃至３の何れか１項に記載の光ピックアップ装置。
【発明の効果】
【００２３】
本発明に係る光ピックアップ装置によれば、反射型の補正素子において、変位素子を用いて反射面の形状を形成することで、シリンドリカルや非球面の反射面を形成でき、非点隔差や球面収差を同時に補正することが可能になる。また非共軸系の反射面も形成できるので、角度を持った反射面にも適用できる。さらに各種の補正のために新たな光学系を追加する必要もなく、装置の小型化が可能となる。
【発明を実施するための最良の形態】
【００２４】
本発明に係る光ピックアップ装置の実施形態を、以下に図を参照して説明する。
【００２５】
（第１の実施形態）
（光ピックアップ装置の光学系の構成）
図１は、第１の実施形態に係る光ピックアップ装置の光学系の概略構成例を示す図である。
【００２６】
図１は光学系の側面から見た断面図であり、既述したレーザ光源のθｖ方向とθｐ方向とで表すと、図の上下方向がθｖ方向であり、手前から奥側へ向かう方向がθｐ方向となるように記している。以下、光学系の図面においては、θｐ方向をＸ、θｖ方向をＹ、何れとも垂直な方向（レーザの射出する方向）をＺとして、各矢印で付記する。
【００２７】
図１を参照して、本実施形態における光学系の概略構成例を説明する。
【００２８】
図１の光学系において、１は光源であり、６は光記録媒体である。光源１はレーザビームを射出し、後述するような光路で光記録媒体６の記録膜面６１に照射する。その反射光を用いて記録膜面６１の記録信号を読み取るのである。
【００２９】
２はビームスプリッタであり、７は受光素子である。ビームスプリッタ２は光源１から射出されたレーザビームの光束を透過するとともに、光記録媒体６から反射されてきた光束を反射して、受光素子７へと送る。受光素子７は信号値を読み取るために光記録媒体６からの反射光を集束して受光する位置に配されている。
【００３０】
３はコリメータレンズであり、５は対物レンズである。コリメータレンズ３は、光源１からの光束を平行光束にして、対物レンズ５へと送る、対物レンズ５は平行光束を受けて、光記録媒体６の記録膜面６１上に合焦させる。
【００３１】
４は反射型の補正素子である。補正素子４は光束を反射し光路を形成するとともに、後述するように反射時に反射板４１の形状により光束を変化させ、非点隔差、球面収差などの補正を行う。
【００３２】
記録信号を読み取るための、光照射から受光までの光経路を説明する。
【００３３】
光源１からレーザビームが射出される。図１に示したように射出されたレーザビームの光束は発散しながら、ビームスプリッタ２を透過する。通過した光束はコリメータレンズ３に入射し、ここで図のように平行光束となる。
【００３４】
平行になった光束は、補正素子４の反射板４１で反射される。このときに後述する光束の補正が行われる。補正素子４で反射した光束は、対物レンズ５に入射する。対物レンズ５は入射した平行光束を図のように光記録媒体６の記録膜面６１上に合焦させる。
【００３５】
光記録媒体６は記録膜面６１上にスポット状に集束した光束を、記録された信号に応じて反射する。反射された信号光束は、入射時と同経路を逆行し、図のように発散しながら対物レンズ５に逆方向に入射する。
【００３６】
信号光束は、対物レンズ５で再び平行光束となり、やはり同経路を逆行し、補正素子４により反射され、コリメータレンズ３で集束光束となり、ビームスプリッタ２に入射する。
【００３７】
入射した信号光束は、ビームスプリッタ２において、図に示すように反射し、光源１へ戻る代わりに受光素子７へと向かい、受光素子７にスポット集束する。
【００３８】
光ピックアップ装置は、動作を制御する制御部（図示せず）を有し、光記録媒体６を移動させながら、光源１よりレーザ光を照射し、光記録媒体６の記録膜面６１上をスキャンし、上記プロセスにより受光素子７で受光したその反射信号光に応じて信号を読み取る。
【００３９】
光ピックアップ装置の制御部はまた、補正素子４による光束の補正を制御するための補正制御部を有しているが、この補正素子４による補正については後述する。
【００４０】
（レーザ光源による非点隔差ΔＺ）
図２はレーザ光源による非点隔差ΔＺを説明するための図であり、図３は反射型の補正素子を用いた従来の非点隔差ΔＺの補正法の例を示す図である。図２及び図３を参照して、非点隔差ΔＺについて説明する。
【００４１】
図２において、１は一般的な半導体レーザ光源である。光源１に含まれる活性層１７からレーザビームの光束１６が左手前（Ｚ方向）へ向かって射出される。図のように光束１６はある角度をもって発散するような光束である。
【００４２】
この光束１６は、光源１における活性層１７の接合面に対して、平行なＸ方向（θｐ）と垂直なＹ方向（θｖ）とで強度分布が異なり、Ｙ方向（θｖ）が長手方向となる略楕円形状の分布となる。
【００４３】
またＸ方向（θｐ）とＹ方向（θｖ）とでは、レーザ光束１６の広がる角度の基点位置（ビームウェストＰｘ、Ｐｙ）が異なる。すなわちＹ方向（θｖ）では光源１の活性層１７の共振器端面上にビームウェストＰｙがあるのに対して、Ｘ方向（θｐ）では活性層の共振器内にビームウェストＰｘがある。このビームウェスト位置のずれΔＺが非点隔差である。
【００４４】
図１の光学系の概略構成図では、側面（Ｘ方向）から見た図であったため、図の上下方向がＹ方向（θｖ）であり、光源１における活性層１７の共振器端面上にビームウェストＰｙがある。一方、後述する図６（ａ）では、上面（Ｙ方向）から見た図となっており、図の上下方向がＸ方向（θｐ）であり、光源１における活性層１７の共振器端面のΔＺ内側にビームウェストＰｘがある。
【００４５】
この非点隔差ΔＺによって、発散した光束１６をコリメータレンズで平行光束にしたときも、Ｘ方向（θｐ）とＹ方向（θｖ）との両方を完全に平行光束とすることができず、光記録媒体６の記録膜面６１上に再度集束させたときにも、Ｘ方向（θｐ）とＹ方向（θｖ）によって集束度合いが異なり、非点収差となって現れてしまう。
【００４６】
図３を用いて、従来の非点隔差ΔＺの補正方法について説明する。
【００４７】
図３は上面（Ｙ方向）から見た図となっており、図の上下方向がＸ方向（θｐ）であり、光源１における活性層１７の共振器端面のΔＺ内側にビームウェストＰｘがある。
【００４８】
１５は従来の反射型の補正素子であり、非点隔差ΔＺを補正するため設けられている。補正素子１５は、Ｘ方向（θｐ）に入射角度θとなるように配置されている。図の奥から手前へ向かうＹ方向（θｖ）では入射角度は０°である。
【００４９】
また補正素子１５は、その反射面がある曲率を有している。ビームウェストＰｘから発散しながら補正素子１５に入射した光束は、その凸状の反射面でより発散を拡げて反射される。すなわち、恰もビームウェスト位置がより共振器端面に近づいたかのような光束となって反射していく。
【００５０】
このビームウェスト位置の移動量のＸ方向（θｐ）とＹ方向（θｖ）での差がΔＺとなるように反射面の曲率と傾斜角度などを調整しておくことで、非点隔差ΔＺの補正を行うことが可能となる。
【００５１】
しかしながら、こういった従来の補正方法も、反射面の曲率や設置角度に制約が係り、またこの補正素子を用いて他の収差補正などを行う余地もなくなることは、既に述べたとおりである。
【００５２】
また、３種類のレーザ光を発する３波長レーザチップなどに共通の光学系を適用する場合など、非点隔差ΔＺも３種類のレーザ光により異なってしまい、何れのレーザ光にも対応するような非点隔差の補正は困難となってくることも既に述べた。
【００５３】
以下に、本実施形態に係る変位素子を利用した補正素子について説明する。
【００５４】
（補正素子の概略構成）
図４は図１の光ピックアップ装置光学系における補正素子４の概略構成例を示す図である。図４を用いて本実施形態に係る補正素子４の概略構成例を説明する。
【００５５】
図４の補正素子４は、光ピックアップ装置光学系において、既述した非点隔差や記録膜面位置の変更による球面収差などを補正する機能を有する。そのため、変位素子とその変位素子により形状変更可能な反射板（反射面を持つ）とを有し、印加電圧により変位素子の変位を制御することで上記に対する補正を行うものである。
【００５６】
図４において、４１は反射板であり、レーザ光束を反射する。また反射板４１はその形状が凸状もしくは凹状に変形可能であり、光束を反射する反射面と反対側の面に次に述べる変位素子４３が固着されている。なお、変位素子上に直接、反射面を形成（蒸着膜やスパッタ膜、塗布膜など、変位素子を形成する工程で一体的に形成）するような構成でもよい。
【００５７】
反射板４１に固着された変位素子４３はアクチュエータ素子である。例えば圧電素子であり、電圧を印加することにより、反射板４１に垂直な方向に伸縮する素子である。
【００５８】
変位素子４３は、電界により反射板４１に垂直な方向に伸縮することで反射板４１の形状を変化させる機能を有していれば、圧電素子に限定されない。ＰＺＴなどの無機材料だけでなく、ＰＶＤＦ（ＰｏｌｙＶｉｎｙｌｉｄｉｎｅ  ＤｉＦｌｕｏｒｉｄｅ；ポリフッ化ビニリデン）やＰ（ＶＤＦ−ＴｒＦＦ）（Ｐｏｌｙ（Ｖｉｎｙｌｉｄｉｎｅ  ＤｉＦｌｕｏｒｉｄｅ−Ｔｒｉ  Ｆｕｒｕｏｒｏ  Ｅｔｈｙｌｅｎｅ）；ポリフッ化ビニリデン三フッ化エチレン共重合体）などの圧電性高分子や液晶、誘電型電気活性ポリマーなどを用いてもよい。公知の任意のアクチュエータ素子を適切に選択して用いることができる。
【００５９】
４２ａと４２ｂとは、変位素子４３に電圧を印加するための一対の電極である。
【００６０】
本実施形態においては、反射板４１に導電性の材料を用いることで、電極４２ａと反射板４１とを兼用している。もちろん、反射板４１と変位素子４３の界面に電極４２ａがコートされているような形態でもかまわない。その場合、電極４２ａは変位素子４３の伸縮に伴い反射板４１とともに変形するものでなければならない。
【００６１】
他方の電極４２ｂは変位素子４３の電極４２ａと反対側の面に固着されている。電極４２ｂは、もちろん導電性であるだけでなく、本実施形態では、変位素子４３の伸縮に応じて実質上変形しない程度の剛性を有している。すなわち、反射板４１（電極４２ａ）の側だけが、変位素子４３の変位に全面的に応答する。
【００６２】
また電極４２ｂは電気的に独立な複数の電極領域に分割されている。図４では簡略化して５つの領域（４２ｂ（１）〜４２ｂ（５））に分割しているが、分割数は任意である。また分割は、対応する反射板４１を凸状もしくは凹状に変形させるためであり、そのために必要な数と配置になるように適切に分割すればよい。例えば、同心円状に分割したリング状の電極形状や、２次元に分割配置した矩形やハニカム形状の電極でもよい。
【００６３】
４４は補正制御部であり、４５は変位素子４３への印加電圧を供給する電源である。
【００６４】
補正制御部４４は、変位素子４３に上記個別の電極領域を通じてそれぞれ印加する電圧を制御する。図４では５つの電極領域（４２ｂ（１）〜４２ｂ（５））に対応して５つのスイッチ（４４ａ（１）〜４４ａ（５））が設けられている。
【００６５】
これにより補正制御部４４は、各電極領域に対して電圧を印加するかどうかを独立して任意に制御することができる。図４においては、各スイッチがＯＦＦの状態であり、反射板４１は初期の平面状態を維持している。
【００６６】
しかし、各電極領域に対して独立して任意にスイッチをＯＮまたはＯＦＦにするように制御すると、各電極領域に対応する変位素子４３の各部分がそれぞれの電圧の印加状態に応じて伸縮し、全体として反射板４１を変形させる。
【００６７】
補正制御部４４は、反射板４１が凸状もしくは凹状の所望の形状となるように、予め設定された電圧印加状態を実現すればよい。複数の設定状態を使い分ければ、反射板４１を複数の所望の形状に切り替えることも可能である。
【００６８】
なお本実施形態では、変位素子４３に印加する電圧をＯＮもしくはＯＦＦのスイッチで制御しているが、各電極領域毎に任意の印加電圧を設定するような制御形態にすれば、反射板４１をより精度よく所望の形状に変化させることができる。
【００６９】
また分割する電極を多数配置すればするほど、制御の自由度は上がる。電極領域の数に合わせて、変位素子４３も分割されていてもよいし、さらに対向電極４２ａも分割されていてもよい。
【００７０】
対向電極４２ａが分割されている場合、逆に電極４２ｂの方は分割されていなくてもよい。少なくともどちらか一方の電極が分割されていればよく、その各領域に独立して任意の電圧印加が制御できればよいのである。
【００７１】
以上のような補正素子４を用いることで、反射板４１の形状を任意に設定できる。シリンドリカルや非球面の形状も可能であり、入射角度に対応して非共軸系の反射面も形成できる。また電気的な制御のみで反射板４１の形状を速やかに切り替えることができる。
【００７２】
従って、複数の収差を同時に補正するような設定も可能であり、１つの光学系設定の中で記録再生条件の違いなどに応じた補正の切り替えも容易にできる。また光学系に対して制約をかけることも殆どなく、小型光学系の設計にも寄与することができる。
【００７３】
（球面収差の補正）
図５は、補正素子４を用いて合焦位置の変化に対する球面収差の発生を補正しているときの光束の状態を示す図である。図５を参照して、光記録媒体６の記録膜面６１位置（合焦位置）の違いに対する球面収差の発生を上記補正素子４を用いて補正する様子を説明する。
【００７４】
図５は、図１のコリメータレンズ３を光束が通過してから光記録媒体６の記録膜面６１位置に合焦するまでの部分の光学系を表している。図１と異なるのは、補正素子４の反射板４１の形状を変化させるよう制御していることである。
【００７５】
また、図１と異なるのは、光記録媒体６の記録膜面６１ａの位置が光学設計上の位置（記録膜面６１）より遠ざかっていることである。このため光記録媒体６の記録膜面６１上で合焦させるために光学的条件を合わせた光学系で記録膜面６１ａの位置に焦点を合わせることにより、球面収差が生じてくる。
【００７６】
図５では、この球面収差を補正するため、補正素子４の制御を行っている。補正制御部４４は各スイッチを操作し、反射板４１の中央付近に対応する電極領域を電圧印加状態とするようにスイッチのＯＮ／ＯＦＦ制御を行っている。スイッチがＯＮになった電極領域に対応する反射板４１中央付近で変位素子４３が伸び、周辺部分では伸びないため、反射板４１は図のように凸状に変形する。
【００７７】
どのように、またどの程度反射板４１を変形すればよいかは、記録膜面６１ａの位置に応じて予め設定しておき、その設定条件に従って制御することで、発生する球面収差を適切に補正できるような形状に反射板４１を変形させることができる。
【００７８】
このようにして所望の形状に変形させた反射板４１に、コリメータレンズ３で平行光束となった光束が入射する。図に示すように凸状に変形した反射板４１で反射した光束は、その変形の程度に応じて、平行光束ではなく発散光束として射出される。発散光束は対物レンズ５により光学系設計上の合焦位置より遠ざかった位置に集束し、球面収差を抑えた状態で光記録媒体６の記録膜面６１ａの位置に焦点を結ぶことが可能になる。
【００７９】
逆に、記録膜面６１ａの位置が光学系設計上の合焦位置より近づいた場合は、反射板４１を凹状に変形させて補正すればよい。
【００８０】
このような補正を用いて光記録媒体６の任意の記録膜面位置に合焦させるようにすることで、合焦位置が光学設計上の合焦位置と異なっていても、球面収差の発生を抑制することができる。
【００８１】
（非点隔差ΔＺの補正）
図６は、図１の光ピックアップ装置の光学系の概略構成例を示す図である。
【００８２】
図１と異なるのは、図６（ａ）が光学系の上面から見た断面図であり、図６（ｂ）も図１とは異なる側面から見た断面図であることである。
【００８３】
図６（ａ）は、既述したレーザ光源のθｐ（Ｘ方向）とθｖ（Ｙ方向）とで表すと、図の上下方向がＸ方向（θｐ）であり、奥側から手前へ向かう方向がＹ方向（θｖ）となるように記している。同じく図６（ｂ）は、図の上下方向がＸ方向（θｐ）であり、図の左右方向がＹ方向（θｖ）となるように記している。
【００８４】
図６を参照して、本実施形態における補正素子４による非点隔差ΔＺの補正の様子について説明する。適宜、図１も参照する。
【００８５】
非点隔差については既に説明したが、一般にレーザ光源ではビームウェスト位置がＸ方向（θｐ）とＹ方向（θｖ）とでは異なり、非点隔差ΔＺを有している。従って図１に示すように、Ｙ方向（θｖ）での光束を見ると、光源から射出されるときのビームウェストはＰｙ位置であり、コリメータレンズ３からの射出光は平行光束となった。
【００８６】
しかし図６（ａ）に示すように、Ｘ方向（θｐ）での光束を見ると、光源から射出されるときのビームウェストはＰｘ位置であり、ＰｙよりΔＺだけずれており、そのためコリメータレンズ３からの射出光は平行光束とはならず、若干集束気味の光束となっている。
【００８７】
このようにＸ方向（θｐ）とＹ方向（θｖ）とで平行光束か集束光束かの違いが生じたまま、光束は補正素子４に入射する。
【００８８】
補正素子４の反射板４１が平面であれば、既述したようにＸ方向（θｐ）とＹ方向（θｖ）とで平行光束か集束光束かの違いは解消されず、対物レンズ５により光記録媒体６の記録膜面６１で合焦させるときに収差が発生してくる。
【００８９】
図６（ａ）及び（ｂ）に示すように、補正素子４の反射板４１はＸ方向（θｐ）に凸状の曲率をもつように変位素子４３により制御されている。各電極領域４２ｂへの電圧印加による変位素子４３の制御方法は既に述べたとおりである。もちろん、非点隔差ΔＺを補正するように予めΔＺに応じて設定された形状になるよう制御している。
【００９０】
一方、図１では補正素子４の反射板４１は平坦であり、Ｙ方向（θｖ）に曲率を有していない。これは制御されていないのではなく、Ｙ方向（θｖ）には曲率を有しないように制御されている。すなわち補正素子４の反射板４１は、非点隔差ΔＺを補正するためＸ方向（θｐ）にのみ曲率を有するシリンドリカル形状に変形されている。
【００９１】
このシリンドリカル形状の反射板４１により、Ｙ方向（θｖ）には曲率を有しない反射板４１に入射したＹ方向（θｖ）の平行光束は、そのまま平行光束として射出される。一方、Ｘ方向（θｐ）に凸状の曲率を有する反射板４１に入射したＸ方向（θｐ）の集束光束は、平行光束になるよう補正されて射出される。
【００９２】
これにより対物レンズ５に入射する光束は、Ｘ方向（θｐ）、Ｙ方向（θｖ）ともに平行光束となり、光記録媒体６の記録膜面６１で合焦させるときに収差が発生してくることはなくなる。
【００９３】
既に述べたように、補正素子４の反射板４１の形状は、シリンドリカルに限らず様々な非球面など任意に設定できるので、非点隔差に加えて他の収差補正も同時に行えるように、制御する反射面の形状を予め設定しておき制御することができる。
【００９４】
また従来は、３種類のレーザ光を発する３波長レーザチップなどに共通の光学系を適用する場合など、非点隔差ΔＺも３種類のレーザ光により異なってしまい、何れのレーザ光にも対応するような非点隔差の補正は困難であったが、本実施形態においては、電気的な制御のみで反射板４１の形状を速やかに切り替えることができるので、１つの光学系設定の中でレーザ波長の違いなどに応じた補正の切り替えも容易である。
【００９５】
（第２の実施形態）
図７は第２の実施形態に係る光ピックアップ装置の光学系の概略構成例を示す図である。図７は光学系の測面から見た断面図であり、図１と同じく、図の上下方向がＹ方向（θｖ）であり、手前からへ奥側向かう方向がθｐ（Ｘ方向）となるように記している。
【００９６】
図７を参照して、第２の実施形態における光ピックアップ装置の光学系の概略構成例について説明する。適宜、図１も参照する。
【００９７】
図７において、光学系の構成要素である光源１、ビームスプリッタ２、コリメータレンズ３、補正素子４、対物レンズ５、光記録媒体６などはすべて図１の実施形態と同じであり、その機能も同様である。従って各構成要素の説明は省略する。
【００９８】
図７の光学系が図１の光学系と異なるのは、それらの構成要素の配置である。すなわち、レーザ光が光源１から射出されて光記録媒体６に集束するまでの光束の経路で見ると、補正素子４を経由する順序が異なっている。図１の光学系ではコリメータレンズ３で平行光束となってから補正素子４に入射していたが、図７の光学系では光源１から射出後、補正素子４に入射している。
【００９９】
図１の光学系との比較のため、レーザ光の射出から受光までの光経路を説明する。
【０１００】
光源１からレーザビームが射出される。射出されたレーザビームの光束は発散しながら、補正素子４に入射する。入射した光束は、補正素子４の反射板４１で反射される。このときに既述した光束の補正が行われる。
【０１０１】
補正素子４で補正され、反射した光束は、ビームスプリッタ２を透過する。通過した光束はコリメータレンズ３に入射し、ここで図のように平行光束となる。平行になった光束は対物レンズ５に入射する。対物レンズ５は入射した平行光束を光記録媒体６の記録膜面６１上に合焦させる。
【０１０２】
光記録媒体６は記録膜面６１上にスポット状に集束した光束を、記録された信号に応じて反射する。反射された信号光束は、入射時と同経路を逆行し、図のように発散しながら対物レンズ５に逆方向に入射する。
【０１０３】
信号光束は、対物レンズ５で再び平行光束となり、やはり同経路を逆行し、コリメータレンズ３で集束光束となり、ビームスプリッタ２に入射する。入射した信号光束は、ビームスプリッタ２において、図に示すように反射し、補正素子４に入射する代わりに受光素子７へと向かい、受光素子７にスポット集束する。
【０１０４】
光ピックアップ装置が動作を制御する制御部（図示せず）を有し、光記録媒体６を移動させながら、光源１よりレーザ光を照射し、光記録媒体６の記録膜面６１上をスキャンし、上記プロセスにより受光素子７で受光したその反射信号光に応じて信号を読み取るのは、図１の場合と同様である。
【０１０５】
このような光学系の配置の違いにかかわらず、補正素子４は同様の機能を果たすことができる。補正素子４により行うのは純粋に光学的な光束の補正であり、光学素子として配置可能な位置であれば、光学系内の任意の位置に配置することができる。光学系の設計面、あるいは配置上の都合などから適切な配置位置を選択すればよい。
【０１０６】
また図７の光学系では、復路では補正素子４の補正を受けないので、受光素子７の受光位置がその分前後にずれてしまうので、予め調整しておくのがよい。
【０１０７】
上述してきたように、本発明の実施形態に係る光ピックアップ装置によれば、反射型の補正素子において、変位素子を用いて反射板の形状を形成することで、シリンドリカルや非球面の反射面を形成でき、非点隔差や球面収差を同時に補正することが可能になる。また非共軸系の反射面も形成できるので、角度を持った反射板にも適用できる。さらに各種の補正のために新たな光学系を追加する必要もなく、装置の小型化が可能となる。
【０１０８】
なお本発明の範囲は、上記実施形態に限定されるものではない。本発明の趣旨を逸脱しない限り、それらの変更された形態もその範囲に含むものである。
【図面の簡単な説明】
【０１０９】
【図１】本発明の第１の実施形態に係る光ピックアップ装置の光学系の概略構成例を示す、側面から見た断面図である。
【図２】レーザ光源による非点隔差ΔＺを説明するための図である。
【図３】反射型の補正素子を用いた従来の非点隔差ΔＺの補正法を示す図である。
【図４】図１の光ピックアップ装置の光学系における補正素子４の概略構成例を示す図である。
【図５】補正素子４を用いて合焦位置の変化に対する球面収差の発生を補正しているときの光束の状態を示す図である。
【図６】図１の光ピックアップ装置の光学系の概略構成例を示す、（ａ）上面から見た断面図及び、（ｂ）図１とは異なる側面から見た断面図である。
【図７】第２の実施形態に係る光ピックアップ装置の光学系の概略構成例を示す、側面から見た断面図である。
【符号の説明】
【０１１０】
１  光源
２  ビームスプリッタ
３  コリメータレンズ
４  補正素子
５  対物レンズ
６  光記録媒体
６１、６１ａ  記録膜面
１５  補正素子
１６  光束
１７  活性層
４１  反射板（反射面）
４２ａ、４２ｂ  電極
４３  変位素子
４４  補正制御部
４４ａ  スイッチ
４５  電源
【図１】
2009181646.tif 000003
【図２】
2009181646.tif 000004
【図３】
2009181646.tif 000005
【図４】
2009181646.tif 000006
【図５】
2009181646.tif 000007
【図６】
2009181646.tif 000008
【図７】
2009181646.tif 000009